【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
遊技媒体を用いて所定の遊技を行うことが可能であり、遊技領域における入賞領域に遊技媒体が入賞したことにもとづいて景品としての景品遊技媒体を払い出すことが可能であり、各々を識別可能な複数種類の識別情報を可変表示する可変表示部を備え、前記可変表示部における識別情報の表示結果があらかじめ定められた特定表示結果となったときに、遊技者にとって有利な特定遊技状態に制御する遊技機であって、
制御を行う際に発生する変動データを記憶する変動データ記憶手段を有し、遊技の進行を制御する遊技制御手段と、
遊技機への電力供給が停止していても前記変動データ記憶手段の記憶内容を所定期間保持させることが可能な記憶内容保持手段と、
所定電源電圧の電圧低下を検出して、電源断の発生を検出したときに検出信号を出力する電源監視手段と、
操作に応じて操作信号を出力する操作手段と、
景品遊技媒体の払い出しを行う払出手段と、
前記払出手段を制御する払出制御手段と、
前記入賞領域に遊技媒体が入賞したことを検出して入賞検出信号を出力する入賞検出手段と、
前記払出手段により払い出された景品遊技媒体を検出して払出検出信号を出力する遊技媒体検出手段とを備え、
前記遊技制御手段は、
前記電源監視手段からの前記検出信号の入力に応じて、前記変動データ記憶手段の記憶内容を保存するための電力供給停止時処理を実行し、
電力供給が開始されたときに、前記操作手段からの前記操作信号が入力されていない場合には、前記変動データ記憶手段の記憶内容が保存されていたときに前記変動データ記憶手段に保存されていた記憶内容にもとづいて制御状態を前記電力供給停止時処理を開始したときの状態に復旧させる状態復帰制御を実行し、前記操作手段からの前記操作信号が入力されている場合には、前記変動データ記憶手段の記憶内容を初期化し、
所定の処理を繰り返し実行するメイン処理と、所定時間毎に発生するタイマ割込に応じて前記メイン処理を中断して起動される割込処理とを実行し、
前記割込処理において、前記特定遊技状態とするか否かを決定するための特定遊技状態決定用数値を更新する特定遊技状態決定用数値更新処理と、前記特定遊技状態決定用数値の更新の初期値として初期値用数値を設定する初期値設定処理とを実行し、
前記メイン処理において、前記所定の処理として、前記初期値用数値を更新する初期値用数値更新処理を実行し、
前記メイン処理における前記初期値用数値更新処理を開始する前に前記タイマ割込による前記割込処理を禁止した状態に設定し、前記初期値用数値更新処理の完了後に前記タイマ割込による前記割込処理を許可した状態に設定し、
前記入賞検出手段が前記入賞検出信号を出力したことにもとづいて前記払出制御手段に対して景品遊技媒体の払出数を特定可能な払出指令信号を出力し、
前記払出制御手段は、前記払出指令信号にもとづいて前記払出手段を制御して景品遊技媒体の払出処理を実行し、
前記遊技媒体検出手段からの前記払出検出信号は、前記払出制御手段に入力され、
前記払出制御手段は、
前記遊技媒体検出手段からの前記払出検出信号の入力状態を監視して前記払出指令信号で特定された払出数の景品遊技媒体が払い出されたか否かを判定する払出数判定手段と、
前記払出数判定手段により前記払出指令信号で特定された払出数の景品遊技媒体が払い出されたと判定された場合に払出処理が完了したことを示す払出完了信号を遊技制御手段に対して出力する払出完了信号出力手段とを含み、
前記遊技制御手段は、前記操作手段からの前記操作信号が入力されているか否かを、前記入賞検出手段から出力される前記入賞検出信号が有効と判定される入賞検出判定期間よりも短い検出判定期間で判定する
ことを特徴とする遊技機。
【手続補正２】
【補正対象書類名】明細書
【補正対象項目名】００１１
【補正方法】変更
【補正の内容】
【００１１】
本発明による遊技機は、遊技媒体を用いて所定の遊技を行うことが可能であり、遊技領域における入賞領域に遊技媒体が入賞したことにもとづいて景品としての景品遊技媒体を払い出すことが可能であり、各々を識別可能な複数種類の識別情報を可変表示する可変表示部を備え、可変表示部における識別情報の表示結果があらかじめ定められた特定表示結果となったときに、遊技者にとって有利な特定遊技状態に制御する遊技機であって、制御を行う際に発生する変動データを記憶する変動データ記憶手段を有し、遊技の進行を制御する遊技制御手段（例えば、ＣＰＵ５６を含む遊技制御手段、図４３に示す遊技制御手段５６１）と、遊技機への電力供給が停止していても変動データ記憶手段の記憶内容を所定期間保持させることが可能な記憶内容保持手段と、所定電源電圧の電圧低下を検出して、電源断の発生を検出したときに検出信号を出力する電源監視手段と、操作に応じて操作信号を出力する操作手段と、景品遊技媒体の払い出しを行う払出手段（例えば球払出装置９７、図４３に示す払出手段９７ａ）と、払出手段を制御する払出制御手段（例えば、払出制御用ＣＰＵ３７１を含む払出制御手段、図４３に示す払出制御手段３７１ａ）と、入賞領域に遊技媒体が入賞したことを検出して入賞検出信号を出力する入賞検出手段と、払出手段により払い出された景品遊技媒体を検出して払出検出信号を出力する遊技媒体検出（例えば払出カウントスイッチ３０１、図４３に示す遊技媒体検出手段５０１）手段とを備え、遊技制御手段は、電源監視手段からの検出信号の入力に応じて、変動データ記憶手段の記憶内容を保存するための電力供給停止時処理を実行し、電力供給が開始されたときに、操作手段からの操作信号が入力されていない場合には、変動データ記憶手段の記憶内容が保存されていたときに変動データ記憶手段に保存されていた記憶内容にもとづいて制御状態を電力供給停止時処理を開始したときの状態に復旧させる状態復帰制御を実行し、操作手段からの操作信号が入力されている場合には、変動データ記憶手段の記憶内容を初期化し、所定の処理を繰り返し実行するメイン処理と、所定時間毎に発生するタイマ割込に応じてメイン処理を中断して起動される割込処理とを実行し、割込処理において、特定遊技状態とするか否かを決定するための特定遊技状態決定用数値を更新する特定遊技状態決定用数値更新処理と、特定遊技状態決定用数値の更新の初期値として初期値用数値を設定する初期値設定処理とを実行し、メイン処理において、所定の処理として、初期値用数値を更新する初期値用数値更新処理を実行し、メイン処理における初期値用数値更新処理を開始する前にタイマ割込による割込処理を禁止した状態に設定し、初期値用数値更新処理の完了後にタイマ割込による割込処理を許可した状態に設定し、入賞検出手段が入賞検出信号を出力したことにもとづいて払出制御手段に対して景品遊技媒体の払出数を特定可能な払出指令信号（例えば払出個数信号およびＲＥＱ信号、図４３に示す払出指令信号）を出力し、払出制御手段は、払出指令信号にもとづいて払出手段を制御して景品遊技媒体の払出処理（例えば図３６および図３７に示す賞球制御処理、図４３に示すステップＳ７５７ａの払出処理）を実行し、遊技媒体検出手段からの払出検出信号は、払出制御手段に入力され、払出制御手段は、遊技媒体検出手段からの払出検出信号の入力状態を監視して払出指令信号で特定された払出数の景品遊技媒体が払い出されたか否かを判定（例えばステップＳ５４７）する払出数判定手段（例えば、払出制御用ＣＰＵ３７１を含む払出制御手段、図４３に示す払出数判定手段３７１ｂ）と、払出数判定手段により払出指令信号で特定された払出数の景品遊技媒体が払い出されたと判定された場合に払出処理が完了したことを示す払出完了信号（例えばＢＵＳＹ信号をハイレベルからローレベルに立ち下げることで出力される賞球払出完了信号）を遊技制御手段に対して出力する払出完了信号出力手段（例えば、払出制御用ＣＰＵ３７１を含む払出制御手段、図４３に示す払出完了信号送信手段３７１ｃ）とを含み、遊技制御手段は、操作手段からの操作信号が入力されているか否かを、入賞検出手段から出力される入賞検出信号が有効と判定される入賞検出判定期間よりも短い検出判定期間で判定することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
請求項１記載の発明によれば、遊技制御手段が、払出条件の成立にもとづいて払出制御手段に対して景品遊技媒体の払出数を特定可能な払出指令信号を出力し、払出制御手段が、払出指令信号にもとづいて払出手段を制御して景品遊技媒体の払出処理を実行し、遊技媒体検出手段からの払出検出信号は、払出制御手段に入力され、払出制御手段が、遊技媒体検出手段からの払出検出信号の入力状態を監視して払出指令信号で特定された払出数の景品遊技媒体が払い出されたか否かを判定する払出数判定手段と、払出数判定手段により払出指令信号で特定された払出数の景品遊技媒体が払い出されたと判定された場合に払出処理が完了したことを示す払出完了信号を遊技制御手段に対して出力する払出完了信号出力手段とを含むことを特徴とするので、遊技制御手段と払出制御手段との間の払出数に関わる認識誤差が生じる可能性が低減されるという効果を有する。